(57)【要約】      （修正有）【課題】リード線を内蔵した電気部品内にポッティング剤を充填した場合に、外部からの水が侵入しないようにする技術を提供する。【解決手段】ポッティング部への水侵入防止構造は、複数のリード線２を内部に有する容器１Ａと、各リード線２を互いに離間した状態で固定するための離間固定部材１２と、容器１Ａ内に充填されたポッティング剤３と、を備える。各リード線２間には、離間固定部材１２を介してポッティング剤３が充填されている。容器１Ａは、リード線２を曲折させるための大容量型部１と、大容量型部１に接続され大容量型部１よりも小容量であると共にリード線２を内蔵する小容量型部１０と、を備える。ポッティング剤３は、大容量型部１及び小容量型部１０内に充填されて、各リード線２間を絶縁する。【選択図】図４
2020129636.tif 000002
【特許請求の範囲】
【請求項１】
複数のリード線（２）を内部に有する容器（１Ａ）と、前記各リード線（２）を互いに離間した状態で固定するための離間固定部材（１２）と、前記容器（１Ａ）内に充填されたポッティング剤（３）と、を備え、
前記各リード線（２）間には、前記離間固定部材（１２）を介して前記ポッティング剤（３）が充填されている構成であることを特徴とするポッティング部への水侵入防止構造。
【請求項２】
前記容器（１Ａ）は、前記リード線（２）を曲折させるための大容量型部（１）と、前記大容量型部（１）に接続され前記大容量型部（１）よりも小容量であると共に前記リード線（２）を内蔵する小容量型部（１０）と、を備え、前記ポッティング剤（３）は、前記大容量型部（１）及び小容量型部（１０）内に充填されて、前記各リード線（２）間の絶縁が得られている構成からなることを特徴とする請求項１記載のポッティング部への水侵入防止構造。
【請求項３】
前記小容量型部（１０）の先端部（１５）内には、前記リード線（２）を接続する前記離間固定部材（１２）としてのプリント基板（２０）が設けられている構成からなることを特徴とする請求項１又は２記載のポッティング部への水侵入防止構造。
【請求項４】
前記小容量型部（１０）は、全体形状が偏平型をなすことを特徴とする請求項１ないし３の何れかに記載のポッティング部への水侵入防止構造。
【発明の詳細な説明】
【技術分野】
【０００１】
本発明は、ポッティング剤が充填されているポッティング部への水侵入防止構造に関し、特に、容器内に複数のリード線を内蔵してポッティング剤で充填した場合に、外部から容器内に水が入り込むことのないようにするための新規な改良に関する。
【背景技術】
【０００２】
従来、用いられていたこの種のポッティング部への水侵入防止構造としては、例えば、特許文献１として開示された特許第４６７０８６９号公報（ＷＯ２００６／１００８３９）に開示された図８及び図９の構成と類似の試作品の構成を開示することができる。
【０００３】
すなわち、図８において、符号１で示されるものは、図示しないＴ字型の容器のうちの大容量型部であり、この大容量型部１内に挿入された４本のリード線２は束ねられている。
前記各リード線２を束ねた後に、前記大容量型部１内にポッティング剤３を充填し、ポッティング剤３が固化すると、ポッティング部３ａが形成され、前記大容量型部１内において、前記各リード線２が防水構造となる。
【先行技術文献】
【特許文献】
【０００４】
【特許文献１】特許第４６７０８６９号公報
【発明の概要】
【発明が解決しようとする課題】
【０００５】
従来のポッティング部への水侵入防止構造は、以上のように構成されていたため、次のような課題が存在していた。
すなわち、図８の従来構成においては、４本のリード線２が束ねてあるため、各リード線２が衝突し、中心部分に星状の空隙Ｐが形成される。
前記星状の空隙Ｐ内は、外側がリード線２で密閉状に囲まれているため、図９のように、ポッティング剤３で十分に埋めた場合でも、そのまま残ることになり、外からの水Ｗが大容量型部１の中に侵入し、リード線２同志の絶縁不良及び劣化等が発生する恐れがあった。
【課題を解決するための手段】
【０００６】
本発明は、以上のような課題を解決するためになされたもので、特に、複数のリード線を内部に有する容器と、前記各リード線を互いに離間した状態で固定するための離間固定部材と、前記容器内に充填されたポッティング剤と、を備え、前記各リード線間には、前記離間固定部材を介して前記ポッティング剤が充填されている構成であり、また、前記容器は前記リード線を曲折させるための大容量型部と、前記大容量型部に接続され前記大容量型部よりも小容量であると共に前記リード線を内蔵する小容量型部と、を備え、前記ポッティング剤は、前記大容量型部及び小容量型部内に充填されて、前記各リード線間の絶縁が得られている構成であり、また、前記小容量型部の先端部内には、前記リード線を接続する前記離間固定部材としてのプリント基板が設けられている構成であり、また、前記小容量型部は、全体形状が偏平型をなす構成である。
【発明の効果】
【０００７】
本発明は、以上のような課題を解決するためになされたもので、特に、複数のリード線を内部に有する容器と、前記各リード線を互いに離間した状態で固定するための離間固定部材と、前記容器内に充填されたポッティング剤と、を備え、前記各リード線間には、前記離間固定部材を介して前記ポッティング剤が充填されている構成であることにより、束ねられた各リード線の中心に形成される星状の空隙はポッティング剤で埋められ、容器内への水の浸入を防止することができる。
また、前記容器は、前記リード線を曲折させるための大容量型部と、前記大容量型部に接続され前記大容量型部よりも小容量であると共に前記リード線を内蔵する小容量型部と、を備え、前記ポッティング剤は、前記大容量型部及び小容量型部内に充填されて、前記各リード線間の絶縁が得られている構成からなることにより、容器全体にわたって、リード線を経て内部に侵入する水を零とすることができる。
また、前記小容量部の先端部内には、前記リード線を接続するプリント基板が設けられている構成からなることにより、例えば、ホール素子等が搭載されているプリント基板もポッティング剤によって保護される。
また、前記小容量型部は、全体形状が偏平型をなしているため、複数の防水型のセンサー装置を得ることができる。
【図面の簡単な説明】
【０００８】
【図１】本発明によるポッティング部への水侵入防止構造を示す正面図である。
【図２】図１の右側面図である。
【図３】図１の左側面図である。
【図４】図１の断面図である。
【図５】図２の要部を断面とした断面図である。
【図６】図３の要部を断面として示す断面図である。
【図７】図１の大容量型部の要部を内側から見た拡大斜視図である。
【図８】従来のポッティング部への水侵入防止機構の要部を示す拡大図である。
【図９】図８の水侵入防止構造において、水が外から内に侵入する状態を示す拡大図である。
【図１０】本発明における容器内の要部において、各リード線を離間固定部材で離間させてポッティング剤を充填する前の状態を示す図７の拡大構成図である。
【発明を実施するための形態】
【０００９】
本発明は、ポッティング部への水侵入防止構造に関し、特に、容器内にポッティング剤で複数のリード線を内蔵した場合に、外部から容器内に水が入り込むことのないようにすることである。
【実施例】
【００１０】
以下、図面と共に本発明によるポッティング部への水侵入防止構造について説明する。
尚、従来例と同一又は同等部分については、同一符号を付して説明する。
図１において符号１で示されるものは、本発明による容器１Ａであり、この容器１Ａは、大容量型部１と、これより小型の小容量型部１０及び前記大容量型部１の底部６に接続されリード線２を内蔵したＬ字型のチューブ１１により主として構成されている。
【００１１】
前記小容量型部１０は、図２のように、全体形状が偏平型で形成され、各リード線２が接続されたセンサ２１は、絶縁性の離間固定部材１２によって互いに離間された状態で配設されている。尚、図３は図１の左側面図である。
【００１２】
図４は、前述の図１で示され、前記リード線２が内設された容器１Ａ内に、ポッティング剤３を、前記大容量型部１側又は先端部１５側から充填すると、前記大容量型部１内から前記小容量型部１０内にわたり、ポッティング剤が充填される。
【００１３】
ここまでは、一部の構成を除き、従来構成と同一であるが、本発明においては、前述の従来例の図８及び図９のように各リード線２を直接結束するのではなく、図１０のように、絶縁材料からなると共に前記小容量型部１の先端部１５内にプリント基板２０を設け、このプリント基板２０に設けられたホール素子のようなセンサ２１が前面側に設けられている。
【００１４】
前記センサ２１が設けられた前記小容量型部１０は、図５で示されるように偏平型をなすと共に、例えば、ホール素子等からなるセンサ２１に接続された各リード線２は、束ねられることなく、そのまま、バラバラの個別状態で、図１０等で示されるプリント基板からなる離間固定部材１２の四辺に各々１本ずつ接続されている。
【００１５】
また、前記離間固定部材１２の外周には、図７のように、複数の凹部３０が形成され、各凹部３０内には、４本の前記リード線２が嵌め込み式に固定されている。
従って、図１０から明らかなように、各凹部３０は互いに離間して設けられているため各凹部３０に嵌まる各リード線２間には十分な隙間Ｇが形成され、この隙間Ｇはポッティング剤３で埋められ、外部からの水の浸入を防ぐことができる。
さらに、前記小容量型部１０内に充填されたポッティング剤３は、各リード線２の周辺及び前記離間固定部材１２の周辺にもポッティング剤３が十分に充填され、従来のように、水Ｗが前記小容量型部１０及び大容量型部１内へ侵入することのないように構成されている。
【００１６】
すなわち、図４の矢印Ａの方向からみると、図５のように、前記小容量型部１０内には水Ｗが侵入することはなく、例え、前記小容量型部１０が水中に位置したとしても、ポッティング剤３とリード線２との間に隙間がない状態であれば、水Ｗが前記容器１Ａ全体に入り込むことない。
【００１７】
図７の構成は、前記容器１Ａを形成する大容量型部１、小容量型部１０、離間固定部材１２及び各リード線２を示しており、前記離間固定部材１２の周縁には、四個の凹部３０が形成されている。
前記各凹部３０には、前記各リード線２が嵌まり込むため、各リード線２は、十分な間隔で離間して、従来のような束ねた状態のような各リード線２が詰まった状態となることはない。
そのため、平偏型であるため、各リード線２間を十分に広くとることができ、ポッティング剤３が十分に充填されて、ポッティング剤３とリード線２及び各リード線同士とポッティング剤３間が密合し、前記小容量型部１０側からの水の浸入を防止することができる。
【産業上の利用可能性】
【００１８】
本発明によるポッティング部への水侵入防止構造は、離間固定部材にリード線を離間させて固定し、各リード線間をポッティング剤で埋めているため、水の浸入を完全に防止し、各リード線間の絶縁を完全に防止することができ、一部を水に浸漬させて用いる電子機器のセンサの防水を行うことができる。
【符号の説明】
【００１９】
１  大容量型部
１Ａ  容器
２  リード線
３  ポッティング剤
３ａ  ポッティング部
６  底部
１０  小容量型部（偏平型）
１１  パイプ
１２  離間固定部材（例えば、プリント基板）
１５  先端部
２１  センサ
３０  凹部
【図１】
2020129636.tif 000003
【図２】
2020129636.tif 000004
【図３】
2020129636.tif 000005
【図４】
2020129636.tif 000006
【図５】
2020129636.tif 000007
【図６】
2020129636.tif 000008
【図７】
2020129636.tif 000009
【図８】
2020129636.tif 000010
【図９】
2020129636.tif 000011
【図１０】
2020129636.tif 000012